(57)【要約】  ケーブルアセンブリ全体の交換又はケーブルの再終端処理を必要とせずに、光ファイバ／銅線のハイブリッドケーブルの損傷した光ファイバ又は銅導線の修理を可能にする、接続箱とハイブリッド光ファイバコネクタ。光ファイバ／銅線のハイブリッドケーブル及びコネクタを修理する方法。
2008516570.tif 000002
【特許請求の範囲】
【請求項１】
光ファイバと銅線とのハイブリッドケーブル装置であって、
接続箱と、
第一端部と第二端部とを有する第一通信ケーブルであって、少なくとも一つの光ファイバと少なくとも一つの導電金属電線とを包含し、各々が第一と第二の端部を有し、前記第一通信ケーブル、前記少なくとも一つの光ファイバ及び前記少なくとも一つの金属電線の、第一端部が、前記接続箱に延伸し、各々の光ファイバの前記第一端部が、前記接続箱内の光ファイバコネクタで終端になる、第一通信ケーブルと、
第一端部と第二端部とを有する第二通信ケーブルであって、少なくとも一つの光ファイバと少なくとも一つの導電金属電線とを包含し、各々が第一と第二の端部を有し、前記第二通信ケーブル、前記少なくとも一つの光ファイバ及び前記少なくとも一つの金属電線の、第一端部が、前記接続箱に延伸し、各々の光ファイバの前記第一端部が、光ファイバコネクタで終端になり、各々の光ファイバの前記第二端部が、光ファイバコネクタで終端になる、第二通信ケーブルと、
を具備する、光ファイバと銅線とのハイブリッドケーブル装置において、
前記接続箱は、前記第一と第二の通信ケーブルの光ファイバの第一端部の前記コネクタが挿入され、前記第一と第二のケーブルの光ファイバが光学的に接続される、少なくとも一つのアダプタを包含し、
前記第一と第二の通信ケーブルの導電金属電線は、前記接続箱内で電気的に接続される、
光ファイバと銅線とのハイブリッドケーブル装置。
【請求項２】
前記第一と第二の通信ケーブルが一対の光ファイバを包含し、前記接続箱が二つの光ファイバアダプタを包含する、請求項１に記載の装置。
【請求項３】
前記第一と第二の通信ケーブルが一対の銅電線を包含する、請求項１に記載の装置。
【請求項４】
前記第一と第二の通信ケーブルが、４本の銅電線を包含する、請求項１に記載の装置。
【請求項５】
前記第二通信ケーブルの、少なくとも一つの光ファイバの第二端部と少なくとも一つの金属電線の第二端部との前記光ファイバコネクタが、ハイブリッドコネクタ筐体内に保持される、請求項１に記載の装置。
【請求項６】
前記第二通信ケーブルの少なくとも一つの金属電線の第二端部が、ピンコネクタで終端となり、前記ピンコネクタが前記ハイブリッドコネクタ筐体内に保持される、請求項５に記載の装置。
【請求項７】
前記ハイブリッドコネクタ筐体が光ファイバアダプタを包含し、アダプタの中へ前記第二通信ケーブルの少なくとも一つの光ファイバの第二端部の前記コネクタが挿入される、請求項５に記載の装置。
【請求項８】
前記第一通信ケーブルの少なくとも一つの光ファイバの第二端部が、光ファイバコネクタで終端となる、請求項１に記載の装置。
【請求項９】
前記第一通信ケーブルの、少なくとも一つの光ファイバの第二端部と少なくとも一つの金属電線の第二端部との前記光ファイバコネクタが、ハイブリッドコネクタ筐体内に保持される、請求項８に記載の装置。
【請求項１０】
前記第一通信ケーブルの少なくとも一つの金属電線の第二端部が、ピンコネクタによって終端となり、前記ピンコネクタが前記ハイブリッドコネクタ筐体内に保持される、請求項９に記載の装置。
【請求項１１】
前記ハイブリッドコネクタ筐体が光ファイバアダプタを包含し、アダプタの中へ前記第一通信ケーブルの少なくとも一つの光ファイバの第二端部の前記コネクタが挿入される、請求項９に記載の装置。
【請求項１２】
前記第一通信ケーブルの金属電線の第一端部がピンコネクタによって終端となり、前記ピンコネクタが前記接続箱内に保持される、請求項１に記載の装置。
【請求項１３】
前記第二通信ケーブルの金属電線の第一端部がピンコネクタによって終端となり、前記ピンコネクタが前記接続箱内に保持される、請求項１に記載の装置。
【請求項１４】
前記第一通信ケーブルの金属電線の第一端部がピンコネクタによって終端となり、前記ピンコネクタが前記接続箱内に保持され、前記第一と第二の通信ケーブルの金属電線のピンコネクタが、前記第一通信ケーブルの電線を前記第二通信ケーブルの電線と電気的に接続するために前記接続箱内で嵌合される、請求項１３に記載の装置。
【請求項１５】
前記通信ケーブルが各々長手方向に延在する強度部材を包含し、前記接続箱が一対のクランプを包含し、各々のクランプが前記通信ケーブルの一つの強度部材を受容し保持するためのものである、請求項１に記載の装置。
【請求項１６】
ハイブリッド通信ケーブルコネクタ装置であって、
開放第一端部と開放第二端部とを備える内部キャビティを確定する第一の二部品筐体と、
開放第一端部と開放第二端部とを備える内部キャビティを確定する第二の二部品筐体と、
を具備する、ハイブリッド通信ケーブルコネクタ装置において、
前記第一筐体の内部キャビティの第二端部は、少なくとも一つの光ファイバと少なくとも一つの金属電線導電体とを包含する第一通信ケーブルを受容するための大きさに作られ、前記光ファイバは光ファイバコネクタによって終端になり、前記金属電線はピンコネクタによって終端になり、
前記内部キャビティは、前記第一通信ケーブルの少なくとも一つの光ファイバを終端にする前記光ファイバコネクタを配置される第一凹部と、前記第一通信ケーブルの少なくとも一つの金属電線を終端にする前記ピンコネクタを配置される第二凹部とを包含し、
前記第二筐体の内部キャビティの第二端部は、少なくとも一つの光ファイバと少なくとも一つの金属電線導電体とを包含する第二通信ケーブルを受容するための大きさに作られ、前記光ファイバは光ファイバコネクタによって終端になり、前記金属電線はピンコネクタによって終端になり、
前記第二筐体の内部キャビティは、前記第二通信ケーブルの少なくとも一つの光ファイバを終端にする前記光ファイバコネクタを挿入する光ファイバアダプタを配置される第一凹部と、前記第二通信ケーブルの少なくとも一つの金属電線を終端にする前記ピンコネクタを配置される第二凹部とを包含し、
前記第一と第二の筐体の第一端部は、前記光ファイバアダプタ内に受容される前記第一通信ケーブルの少なくとも一つの光ファイバを終端にする前記光ファイバコネクタの光ファイバコネクタによって、及び嵌合された前記第一と第二の通信ケーブルの少なくとも一つの金属電線を終端にする前記ピンコネクタによって、互いに係合するようになっている、
ハイブリッド通信ケーブルコネクタ装置。
【請求項１７】
前記第一の二部品筐体が、前記第一通信ケーブルの強度部材を受容し保持するためのクランプを包含する、請求項１６に記載のハイブリッド通信ケーブルコネクタ装置。
【請求項１８】
第一と第二の筐体の部分を備える外部筐体を具備する、ハイブリッドケーブルコネクタであって、
前記第一と第二の筐体の部分は、第一開放端部から第二開放端部に延在する内部キャビティを形成するために協同し、
前記キャビティは、前記第一端部でケーブル導入口を画定し、
前記キャビティは、前記第二端部に隣接し前記第二端部を介してアクセス可能な、光ファイバアダプタとピンコネクタとを包含し、
前記第一端部と前記アダプタ及びピンコネクタとの間のキャビティは、前記キャビティ導入口を介して配置される銅線／光ファイバのハイブリッドケーブルから延伸する光ファイバコネクタで終端となる光ファイバの少なくとも一つのより線と、少なくとも一つの銅導線とを受容するための大きさに作られ、
前記第一と第二の筐体部分は、前記第一端部と第二端部との間のキャビティにアクセス可能にするために、互いに取外し可能に取付けられる、
ハイブリッドケーブルコネクタ。
【請求項１９】
前記キャビティ内へ前記ケーブル導入口を介して延伸するハイブリッドケーブルをさらに具備し、前記ハイブリッドケーブルが、前記光ファイバアダプタ内に挿入される光ファイバコネクタで終端となる少なくとも一つの光ファイバのより線と、前記ピンコネクタで終端となる少なくとも一つの銅導線とを包含する、請求項１８に記載のハイブリッドケーブルコネクタ。
【請求項２０】
第一と第二の筐体の部分を備える外部筐体を具備する、ハイブリッドケーブルコネクタであって、
前記第一と第二の筐体の部分は、第一開放端部から第二開放端部まで延在する内部キャビティを形成するために協同し、
前記キャビティは、前記第一端部でケーブル導入口を画定し、
前記キャビティは、前記第一と第二の端部との間の強度部材のケーブルクランプ、及び前記第二端部に隣接する光ファイバコネクタ受容領域とピンコネクタとを包含し、前記コネクタと前記ピンコネクタは、前記第二開放端部を介してアクセス可能であり、
前記第一端部と前記ピンコネクタとの間の前記キャビティは、前記ケーブル導入口を介して配置される銅線／光ファイバのハイブリッドケーブルから延伸する、少なくとも一つの光ファイバより線と少なくとも一つの銅導線とを受容するための大きさに作られ、
前記第一と第二の筐体の部分は、前記第一と第二の端部の間の前記キャビティにアクセス可能とするために、互いに取外し可能に取付けられる、
ハイブリッドケーブルコネクタ。
【請求項２１】
前記キャビティ内にケーブル導入口を介して延在するハイブリッドケーブルをさらに具備し、前記ハイブリッドケーブルが、前記コネクタ受容領域内に配置される光ファイバコネクタで終端となる少なくとも一つの光ファイバのより線と、前記ピンコネクタで終端となる少なくとも一つの銅導線と、前記キャビティに延在し前記キャビティ内の前記ケーブルクランプによって確実に保持される強度部材とを包含する、請求項２０に記載のハイブリッドケーブルコネクタ。
【請求項２２】
ハイブリッドケーブルを使用するための接続箱であって、
内部と、前記内部に封鎖するために主筐体に装着可能で取外し可能な蓋とを画定し、第一と第二の端部を有し、各端部がケーブル取付部品を包含する主筐体と、
前記内部に装着される光ファイバアダプタを備える隔壁と、
前記端部のケーブル取付部品から前記隔壁に装着される前記アダプタに光ファイバケーブルを導くために、前記内部に装着されるケーブルの管理構造体と、
各ケーブル取付部品に隣接する前記内部に装着されるケーブルの強度部材のクランプと、
前記内部にハイブリッドケーブルの導入が可能で、前記取付部品を介して前記ハイブリッドケーブルと並んで修理ケーブルを配置し、二つの取外し可能な部品を包含する各々のケーブル取付部品と、
銅導線を終端とするための前記内部のピンコネクタと、
を具備する、ハイブリッドケーブルを使用するための接続箱。
【請求項２３】
光ファイバと銅線とのハイブリッド通信ケーブルを修理する方法であって、
接続箱内に開口部を介して延伸する第一端部とハイブリッドコネクタ内に開口部介して延伸する第二端部とを備える第一ケーブルにおいて、前記ケーブルが、前記接続箱内に第一端部と前記コネクタ内に第二端部とを備える少なくとも一つの光ファイバ、及び前記接続箱内に第一端部と前記コネクタ内に第二端部とを備える少なくとも一つの金属電線を包含し、前記光ファイバが、光ファイバコネクタによって前記第一と第二端部の各々で終端になり、前記光ファイバコネクタが各々、光ファイバアダプタ、すなわち前記接続箱の内部の第一アダプタとハイブリッドコネクタの内部の第二アダプタの中に挿入される第一ケーブルを用意する段階と、
前記接続箱の内部にアクセスし、前記第一ケーブルの光ファイバの第一端部で前記光ファイバコネクタを前記第一アダプタから取外す段階と、
第一端部と第二端部、及び前記第一端部と第二端部の各々で前記光ファイバを終端にする光ファイバコネクタを備える光ファイバケーブルを用意する段階と、
前記接続箱の内部に前記光ファイバケーブルの第一端部を延伸する段階と、
前記第一ケーブルの光ファイバの第一端部が取外された前記第一アダプタ内に、前記光ファイバケーブルの第一端部の前記光ファイバコネクタを挿入する段階と、
前記光ファイバケーブルの第二端部が前記第一ケーブルの第二端部に隣接するように、前記第一ケーブルに沿って前記光ファイバケーブルの経路を定める段階と、
前記ハイブリッドコネクタの内部にアクセスし、前記第一通信ケーブルの光ファイバの第二端部の前記コネクタを第二アダプタから取外す段階と、
前記ハイブリッドコネクタの内部に前記光ファイバケーブルの第二端部を延伸する段階と、
前記第一通信ケーブルの光ファイバの第二端部が取外された前記第二アダプタ内に、前記光ファイバケーブルの第二端部の前記光ファイバコネクタを挿入する段階と、
を含む、光ファイバと銅線とのハイブリッド通信ケーブルを修理する方法。
【発明の詳細な説明】
【技術分野】
【０００１】
本発明は、通信ケーブル用コネクタに概ね関する。さらに詳細には、本発明は、光ファイバ/銅線のハイブリッドコネクタ装置と方法に関する。
【背景技術】
【０００２】
装置に電源を供給するケーブルを備える携帯カメラ及びその他のデータ又は画像を収集する装置は周知である。これらの装置において、画像又はデータを収集する容量が増加した場合に、装置へ及び装置からデータを運ぶための伝送容量に対するより大きな要求が発生する。この増加する伝送容量に備える一つの方法は、装置へ及び装置からデータを運ぶために光ファイバを使用することである。
【０００３】
しかしながら、光ファイバは、装置に適切な電源の供給が出来ないから、装置まで延伸する銅線又はその他の金属電線を有することがさらに所望される。単一ケーブルに銅電線と光ファイバの両方を包含するハイブリッドケーブルが、これらの装置の、電源とデータ伝送の要求に合致するために使用されてきた。銅ケーブルと光ファイバとを終端処理するための及び接続するための、技術と装置とはかなり異なるから、新しいコネクタ又はこのようなハイブリッドケーブルをそれぞれ接続する方法が開発された。これらの周知のコネクタは、ケーブルと装置の相互接続を可能にするが、ケーブル又はコネクタの要素に少しでも損傷があると、コネクタ全体が交換される。共通の複合型ケーブルは、二つ又はそれ以上の光ファイバ及び一つ又はそれ以上の銅電線対を含んでもよい。これらの電線のどれかが又はこれらの電線の終端部が損傷すると、コネクタ全体は交換され、電線と光ファイバの全てが再終端処理される。
【発明の開示】
【発明が解決しようとする課題】
【０００４】
ハイブリッドコネクタの改良が所望される。
【課題を解決するための手段】
【０００５】
本発明は、光ファイバ/銅線のハイブリッドコネクタに概ね関する。さらに詳細には、本発明は、接続箱と光ファイバのハイブリッドケーブルコネクタとに関していて、それらは、ケーブルアセンブリ全体の交換又はケーブルの再端末処理を必要とすることなしに、光ファイバ/銅線のハイブリッドケーブルによって支援される損傷した光ファイバ又は銅導線の修理を可能にする。本発明はまた、ハイブリッドケーブルを使用するための接続箱に関する。本発明はさらに、光ファイバ/銅線のハイブリッドケーブル及びコネクタを修理する方法に関する。
【発明を実施するための最良の形態】
【０００６】
組込まれて明細書の一部分を構成する添付図面は、本発明の幾つかの態様を例示し、記述と共に、本発明の原理を説明するのに役立つ。図面の主な記述は以下の通りである。
【０００７】
参照は、添付の図面で説明される本発明の例示的な態様を詳細にするだろう。可能な限り、同一の参照符号は、同一の又は同様の部品を参照する図面を通して使用されるだろう。
【０００８】
図１は、スポーツイベント又はその他の催し物会場のような制作施設にカメラを接続するために使用されるような光ファイバと銅線のハイブリッド放送通信用ケーブルの幾つかのセグメントを例示する。図１で示されるケーブルのセグメントは、制作設備から延伸し、第一ケーブルコネクタ１３で終端になる第一セグメント１０を含む。コネクタ１３は、第二ケーブルセグメント１４の終端になる第二ケーブルコネクタ１１と嵌合される。ケーブルセグメント１４は、接続箱１６の一方の端部から延伸し、ケーブルセグメント１８は、他方の端部から延伸する。ケーブルセグメント１８は、（第一コネクタ１３と同様に）第三ケーブルコネクタ１９で終端になり、コネクタは、カメラの一部分を形成する隔壁２２に配置される隔壁装着コネクタ２０と嵌合するように形成される。接続箱１６と共に第二と第三のコネクタ１１と１９を備える第二と第三のケーブルセグメント１４と１８は、カメラの操作者が肩掛けの又はその他の携帯の又は移動可能なカメラ構成で操作する場合に、例えばベルト装着で運ぶであろうカメラの接続アセンブリ２４を構成してもよい。
【０００９】
放送用ケーブルにカメラを接続するための周知のアセンブリは、アセンブリ内のどの単一構成要素の破損においても、新しいアセンブリを使用することが必要となるかもしれない。代替として、いずれかのコネクタ内のどのような接触の破損でも、ケーブルセグメントの一つの再終端処理を必要とするかもしれない。以下にさらに述べるように、コネクタ１１と１９は接続箱と協同して、アセンブリ２４の損傷した構成要素のより容易な修理又は交換を可能にする。接続箱１６とコネクタ１１との間のセグメント１４に沿った破線で示される交換用光ファイバ２００があり、それは以下でさらに詳細に述べられるだろう。
【００１０】
図２を参照して、接続箱１６は、第一端部２８と第二端部３０とを包含する。各々の端部には、ケーブルセグメント１４と１８とを接続箱１６に導入することが出来るケーブル導入口の取付部品３２がある。取付部品３２は、接続箱１６の中に環境汚染物質が侵入することを防止するために、ケーブルセグメント１４と１８の周囲を密閉する。接続箱１６はまた、接続箱１６内の構成要素を修理又は交換するために、接続箱１６の内部にアクセスすることを可能にする取外し可能な蓋３４を備える筐体２６を包含する。
【００１１】
図３を参照して、接続箱１６の筐体２６は、内部３８を画定するために蓋３４と協同する主筐体３６を包含し、内部３８内にケーブルセグメント１４と１８の光ファイバより線と銅導線を接続するための異なる構成要素を包含する。取付部品３２は、ケーブルセグメント１４と１８の周囲に密接して適合する一対の同一の半割れ部分３３を包含してもよい。取付部品３２のその他の代替の配置は、配置が内部３８からセグメント１４又は１８の外側の追加ケーブルの延伸を可能とするならば、期待される。蓋３４内の開口部４２を介して延伸し、主筐体３６のフランジ４５の嵌め合い開口部４４と係合するネジ４０のような複数の取外し可能な締結部品によって、蓋３４を主筐体３６に取外し可能に保持してもよい。
【００１２】
ケーブルセグメント１４と１８のいずれかの内に延在する、直線状の強度部材を受容し固定するための一対のアンカ４６が内部３６にあってもよい。内部３８にもまた装着された隔壁４８があり、隔壁に光ファイバアダプタ５０が装着される。光ファイバアダプタ５０は、各々の端部に二つの光ファイバコネクタ５２を受容するために形成される。周知のアダプタ５０は、複数の対をなすコネクタ５２を整列し光学的に接続するための標準の光ファイバアダプタであり、周知のコネクタ５２をケーブルセグメント１４と１８の端部に装着してもよく、ケーブルセグメント１４と１８の各々の範囲に延在する光ファイバの終端になる。その他の方式及び型式の光ファイバのコネクタ及び嵌合アダプタを接続箱１６内で使用してもよい。内部３８内ではまた、一対の嵌合ピンコネクタ５４と５６であってもよく、ピンコネクタがケーブルセグメント１４及び１８の各々内に延在する銅導線の終端になってもよく、またこれらの銅導線を電気的に接続する。銅導線を接続するためのその他の方式及び型式のコネクタを、接続箱１６内でまた使用してもよい。内部３８は、接続箱１６内に光ファイバと銅導線の配置を促進するために、一つ又はそれ以上のケーブルの経路設定機構５８をまた含んでも良い。
【００１３】
図４は、ケーブルセグメント１０、１４及び１８のために使用されるかもしれない、光ファイバ／銅線のハイブリッド通信ケーブル１００の略断面を図解する。ケーブル１００は、外部被覆６０包含し、直線的に延伸する中央強度部材６２を包含してもよい。示されたケーブル１００は、一対の被覆された光ファイバ６４と四つの被覆された銅導線６６を包含し、外部被覆６０と延在する隣接の強度部材６２との範囲内に配置される。より多数の又はより少数の光ファイバ及び／又は銅導線を備えるハイブリッドケーブルのその他の配置が知られている。上述された放送用カメラの環境で使用する場合に、テレビ映像及び関連する音声信号をカメラに伝達するために一つの光ファイバ６４を使用してもよく、カメラによって捕らえられたテレビ映像及び音声を制作施設又はあるその他の場所に伝達するために第二の光ファイバ６４を使用してもよい。カメラを操作するための電源を供給するために一対の銅導線６６を使用する一方、制作施設とカメラ操作者との間の通信を提供するために別の対の銅導線６６を使用してもよい。カメラの所望する用法と通信帯域幅とを維持するために、ケーブル１００内に延在する光ファイバより線及び銅導線の数を必要に応じて変えてもよい。
【００１４】
図５と６は、コネクタ１１によって終端となった第一ケーブルセグメント１０を示し、コネクタ１１が、図１に示した第二ケーブルセグメント１４を終端にするコネクタ１３と嵌合する。コネクタ１１と１３は、ケーブルセグメント１４の光ファイバより線６４によってケーブルセグメント１０の光ファイバより線６４を光学的に接続するために、及びケーブルセグメント１４の銅導線６６によってケーブルセグメント１０の銅導線６６を電気的に接続するために協同する。これらの二つのコネクタは、光ファイバより線と銅導線との接続部の周囲に確実で概ね風雨を防ぐ蓋１２を形成するために協同する。示したように、コネクタ１１は雄の又はプラグコネクタとして画定され、コネクタ１３は雌の又はソケットコネクタとなる。
【００１５】
図７は、各ケーブルセグメント１０及び１４内で、光ファイバより線６４の終端となる一対の光ファイバコネクタ５２を包含するコネクタ１１と１３の両方を示す。これらのコネクタは、同伴し、整列し、コネクタ１３内に装着されたアダプタ５０によって光学的に接続される。各銅導線６６をピンコネクタ６８によって終端としてもよく、これらのピンコネクタ６８を嵌合ピンコネクタ５４と５６内に装着してもよく、ピンコネクタ５４は、コネクタ１１内に装着され、ピンコネクタ５６はコネクタ１３内に装着される。コネクタ１１は、二つの筐体の部分１０２と１０４とによって画定される外部筐体を包含する。コネクタ１３は、二つの筐体の部分１０６と１０８とによって画定される外部筐体を包含する。
【００１６】
図８から１１を参照して、コネクタ２０を装着した隔壁は、二つの筐体の部分１１０と１１２とによって画定される外部筐体を包含する。二つの筐体の部分１１０と１１２は、中央キャビティ７４を画定し、そこに二つのコネクタ５２と一つのピンコネクタ５６が装着される。筐体の部分１１０と１１２はまた、コネクタ１３内に挿入するための大きさに作られる外側の胴体部分７６を画定する。胴体部分７６は、コネクタ１３を胴体部分７６の周囲で開放可能に保持することを可能にする一対の向き合うタブ７０と、コネクタ２０と嵌合するコネクタ１３を適切に方向付けるコネクタ１３の嵌合機構に係合する整列機構７２とを包含する。各筐体の部分１１０と１１２は、装着フランジ７８を包含する。開口部８２は、隔壁２２の締結部品用の開口部８４と係合するネジ８０のような取外し可能な締結部品を受容するために、フランジ７８を介して画定される。開口部８４は、隔壁２２の開口部８６の周囲に配置され、コネクタ２０の後部分８８と反対側の胴体部分７６を受容するための大きさに作られる。
【００１７】
各筐体の部分１１０と１１２は、後部８８に隣接するキャビティ７４のケーブル受容端部９０を包含する。隔壁２２がケース、囲う物又はキャビネットの一部分を形成してもよいカメラ又はその他のどのような装置内からのケーブルは、ケーブル受容端部９０を介してキャビティ７４に入る。コネクタ２０のキャビティ７４内の筐体の部分１１０と１１２の構造の付加的な機構は、以下の図１６から１９に示されるコネクタ１１の筐体の部分１０２と１０４の機構に類似する。
【００１８】
図１２と１３を参照して、コネクタ１１は、フランジ７８を除いてコネクタ２０と同様な外部機構を包含する。コネクタ１１は、独立ケーブルの端部に装着されるようになっていて、隔壁２２に装着するための装着フランジは必要としない。コネクタ１１は、コネクタ１１と１３との間のシール部１２を取外すために、コネクタ１１の握りを容易にする中間の把握部分９２を包含する。
【００１９】
図１４と１５は、胴体受容端部７７を包含するコネクタ１３を示し、コネクタ１１又はコネクタ２０の胴体部分７６を受容出来る。胴体受容端部７７は、筐体の部分１０６と１０８とによって画定されるキャビティ７５への導入口を画定する。アダプタ５０とピンコネクタ５４とは、キャビティ７５内に装着される。胴体受容端部７７を貫通する一対の開口部９６は、コネクタ１３内で胴体部分７６を開放可能に保持するために、コネクタ１１又は２０のタブ７０の留め金９８と係合するように配置される。一対のタブ開放アーム７１は、開口部９６の上部に配置され、その各々はタブ解放部９４を包含する。タブ開放アーム７１は、内側に撓むことが可能で、内側に撓んだ場合に、タブ開放部９４は、胴体部分７６を胴体受容部分７７から取外すことが可能なように、開口部９６からタブ７０を内側に動かすために開口部９６を介して延伸する。胴体受容部分７７とキャビティ７５の内側に整列機構７３があり、嵌合するためのコネクタを整列するために、胴体部分７６の整列機構７２と協同する。
【００２０】
整列機構７２と７３によって適切に整列される場合に、コネクタ１３は、光ファイバより線６４を光学的に接続するためのアダプタ５０の中に、延伸するために整列した光ファイバコネクタ５２、及び銅導線６６と嵌合し電気的に接続するために整列したピンコネクタ５４と５６を備える、コネクタ１１又は２０のいずれかと嵌合する。図７に示すように、コネクタ１３のキャビティ７５内で、ケーブル１４のセグメントの光ファイバより線６４の終端となる一対の光ファイバコネクタ５２は、アダプタ５０の内側端部に既に配置されている。コネクタ１１及び１３の嵌合によってアダプタ５０に挿入された時に、コネクタ１１の光ファイバコネクタ５２は、コネクタ１３の光ファイバコネクタ５２と光学的に接続されるだろう。
【００２１】
図１６から１８を参照して、コネクタ１１の筐体の部分１０４は、コネクタ開口部１２７を備えるキャビティ７４の一部分を画定する凹部１２６と、反対側の端部のケーブル開口部９０とを包含する。凹部１２６の一方の側に、強度部材の凹部１１４と、ケーブル１００の強度部材６２を固定するための締結部品を受容する締結部品用開口部１１６とがある。一対の整列ピンが、コネクタ１１を形成するために結合する、筐体の部分１０２と１０４の位置決めを促進するために内面１３０から延伸する。複数の締結部品用開口部１２０が、筐体の部分１０２と１０４とを結合するための締結部品を受容する面に形成される。凹部１２６は、コネクタ開口部１２７に隣接する長手方向の隔壁１２８を包含し、光ファイバコネクタ５２を受容ための一対の隣接するスロットを画定する。代替として、筐体の部分１０４は、以下に述べる筐体の部分１０４と同様に、ケーブルのクランプ装着の配列を包含するために形成することもできるだろう。
【００２２】
図１９から２１は、筐体の部分１０２と１０４を整列するための整列ピン１１８と協同するために配置されるピン開口部１２２を包含する筐体の部分１０２を示す。開口部１２０は、筐体の部分１０４の開口部１２０を介して延伸する締結部品を受容するために配置される。凹部１２４は、ケーブルクランプを凹部１１４と開口部１１６に配置させることが可能となるように、内面１４０に配置される。ケーブル１００の強度部材６２は、凹部１１４内で適合するために切り揃えることが可能であり、ケーブルクランプは、コネクタ１１をケーブル１００に固定するために、開口部１１６内に装着されるネジのような締結部品を包含する。代替として、このようなアンカが必要でない場合に、筐体の部分１０２は凹部１１４と開口部１１６とを包含しないようにできる。凹部１３２は、ケーブル導入口９０と反対側の端部のコネクタ開口部１３４との間に延在する。複数の指状突起１３６は、ケーブル１００からピンコネクタ５６に延在する銅導線６６を配置するために、凹部１３２内に延在する。ピンコネクタの装着領域１３８は、ピン１３６のコネクタ開口部の側に画定される。
【００２３】
図１２と１３に示されるように共に装着される場合に、凹部１２６と１３６とは、コネクタ１１内でキャビティ７４を形成するために協同する。
【００２４】
図２２から２４は、開口部１４４を受容するコネクタから反対側の端部のケーブル導入口９０に延在する凹部１４２を包含するコネクタ１３の筐体の部分１０８を示す。凹部１４２内に、コネクタを受容する開口部１４４に隣接してアダプタ受容領域１４６がある。アダプタ受容領域１４６は、ほぼアダプタ５０に密接に適合する大きさに作られ、凹部１４２内の所望する位置にアダプタ５０を確保するために、アダプタ５０のフランジと係合するようにいずれかの側にフランジ凹部１４８を包含する。筐体の部分１０８はまた、内面１５０に一対の整列ピン１１８と複数の締結部品の開口部１２０とを包含する。代替として、筐体の部分１０８が、上述の筐体の部分１０４の凹部１１４と開口部１１６と同様に、ケーブルのクランプ装着の配列を包含するように形成されることも可能だろう。
【００２５】
図２５から２７は、コネクタ受容端部１４４からケーブル導入口９０へ延伸する凹部１５２を包含するコネクタ１３の筐体部分１０６を示す。凹部１５２内に複数の指状突起１５４があり、ピンコネクタの装着領域は、指状突起１５４とコネクタ受容端部１４４との間で画定される。指状突起１５４が配置され、ケーブル１００の銅導線６６を導き、ピンコネクタ５４が嵌合コネクタ１１のピンコネクタ５６に係合するように、コネクタ１３内でピンコネクタ５４を正確に配置するために役立つ。筐体の部分１０６の内面１６０は、コネクタ１３の外部筐体を形成するために、二つの筐体の部分を共に保持するための筐体の部分１０８の開口部１２０を介して延伸する締結部品を受容するための複数の締結部品の開口部１２０を包含する。代替として、筐体の部分１０６が、上述の筐体の部分１０４の凹部１１４と開口部１１６と同様に、ケーブルのクランプ装着の配列を包含するように形成されることも可能だろう。
【００２６】
前記１４と１５に示すように共に装着された場合に、凹部１４２と１５２とは、コネクタ１３内にキャビティ７５を形成するために協同する。
【００２７】
コネクタ１１と１３の両方は、コネクタの内部キャビティを露出するために取外しが可能な二つ又はそれ以上の部分を有する外部筐体から構成されることが好ましい。コネクタ１１と１３のケーブル導入口９０、同様に接続箱１６のケーブル取付部品３２は、ケーブル１００の外部被覆６０の直径よりも少し大きく作られることがまた好ましい。セグメント１４又は１８のケーブル１００内の一つ又はそれ以上の要素６４と６６、又はこれらの要素の終端となる（例えば光ファイバコネクタ５２及びピンコネクタ５４と５６のような）コネクタは、アセンブリ２４の修理又は交換を必要とする損傷を受けることが知られている。交換は可能であり、損傷に対する共通の対応がある一方で、この解決策は完全な予備部品２４の携帯をカメラの操作者に要求する。代替として、損傷した終端部５２、５４又は５６を修理するために、接続箱１６から延伸するケーブルセグメント１４又は１８のコネクタ１１又は１３のどれかが取除かれ、そのケーブルセグメントを終端処理することが可能である。しかしながら、再終端処理は時間の浪費であり、損傷がカメラの使用中に発生した場合には、現場で仕上げることが難しい。アセンブリ２４は、ケーブル１００の個別の要素６４又は６６、又はこれらの要素の終端部５２、５４又は５６を、現場でカメラの操作者によって簡単な工具を使用して、迅速に交換することが可能となるように構成され、カメラの操作者が広範囲に品揃えした交換部材を携帯する必要はない。
【００２８】
ケーブルセグメント１８のケーブル１００内の光ファイバより線６４の一つが損傷を受けた場合に、カメラの操作者は損傷したより線を確認することが出来き、カメラの操作者は主筐体２８から蓋３４を取除くことによって接続箱１６を開けることが出来る。内部３８を露出させて、損傷した光ファイバを終端にしている光ファイバコネクタ５０を接続箱１６内のアダプタ５０から取除き、一方の側に移動することがでる。図２８に示すように、交換用光ファイバセグメント２００は、コネクタ５２で終端処理された端部を包含してもよい。これらのコネクタ５２の一つを、損傷した光ファイバ６４のコネクタ５２の代わりにアダプタ５０内に挿入してもよい。ケーブルの取付部品３２の上半分３３は、ケーブル１００の周囲から取除かれ、交換用光ファイバ２００のコネクタ５２の間のケーブル長２０２は、ケーブルセグメント１８に沿って接続箱１６から延伸する。図示の通り、交換用光ファイバセグメント２００のケーブル長２０２は、標準の2から3kmの光ファイバケーブルのように被覆された光ファイバケーブルを包含する。このケーブル長２０２は、一時的な現場修理を第一に考えて、ケーブルセグメント１４又は１８の一つに沿って延伸し、ケーブルセグメント１４又は１８の一つによって支持されているから、一般的な被覆以外の追加の強化構造は、要求すべきではない。勿論、アセンブリ２４がカメラの操作者に容易に使用可能である修理材料を前提とする又は基づく条件において、ケーブル長２０２内のより重量のある保護ケーブル被覆及びその他の強化構造を、都合が良いとして又は所望するとして使用してもよい。
【００２９】
交換用光ファイバセグメント２００は、ケーブルセグメント１８に沿ってコネクタ１３まで延伸する。コネクタ１３が隔壁のコネクタ２０から取除かれ、筐体部分１０６と１０８とを共に保持する固定部品が取除かれる。筐体部分１０８の凹部１４２にアクセスすることを可能にするために、筐体部分１０６と１０８は互いに分離される。凹部１４２内で、損傷した光ファイバのより線６４を終端にしている光ファイバコネクタ５２が、アダプタ５０から取除かれる。この光ファイバコネクタ５２は、交換用光ファイバ２００の端部を終端にするコネクタ５２のための場所を用意するために凹部１４２から取除かれる。この交換用光ファイバ２００のコネクタ５２は、ケーブルセグメント１８の損傷し取除かれたコネクタ５２の場所のアダプタ５０に挿入される。ケーブル長２０２は、凹部１４２内のアダプタ５０からケーブル導入口９０の外に延伸し、筐体部分１０６と１０８は、共に再固定される。
【００３０】
ケーブルセグメント１８のケーブル１００の損傷した光ファイバのより線６４は、交換用光ファイバ２００で置換され、カメラ操作者は、カメラを操作し続けることができる。
【００３１】
損傷した銅線コネクタ又は損傷したピンコネクタを交換する同様の工程が後に続く。どちらの交換シナリオにおいても、交換用光ファイバ又は銅線は、ケーブルセグメント１８に沿って接続箱１６とキャビティ７４とから延伸する。この交換用光ファイバ又は銅線を、交換のための支持又は追加の保護を提供するために、ケーブルセグメント１８に取付けてもよい。
【００３２】
上述の明細書、例示及びデータは、本発明の製造と用途の完全な記述を提供する。本発明の多数の実施形態が、本発明の精神と範囲から逸脱することなくなされているから、本発明は、添付の請求項に帰属する。
【図面の簡単な説明】
【００３３】
【図１】カメラと接続するための、及びケーブルセグメントの一つに沿った破線で示される光ファイバの修理箇所を備える、一対のケーブルコネクタ間の接続箱を含む光ファイバ／銅線のハイブリッドケーブルアセンブリの斜視図である。
【図２】接続箱の一側面から延伸する第一ハイブリッドケーブルを備える、図１の接続箱の斜視図である。
【図３】第二ハイブリッドケーブル用に示された光ファイバコネクタを備える、図２の接続箱の組立分解斜視図である。
【図４】二つの光ファイバと四つの銅線を含む、先行技術の光ファイバ／銅線のハイブリッドケーブルの略断面図である。
【図５】図１の一対の嵌め込まれたハイブリッドケーブルコネクタの斜視図である。
【図６】図５の一対の嵌め込まれたハイブリッドケーブルコネクタの側面図である。
【図７】図５に示した嵌め合いの対をなすコネクタの組立分解斜視図である。
【図８】図１のカメラの隔壁装着ケーブルコネクタの斜視図である。
【図９】図８の隔壁装着ケーブルコネクタの組立分解斜視図である。
【図１０】図８の隔壁装着ケーブルコネクタの端面図である。
【図１１】図５の第一嵌め合いケーブルコネクタの側面図である。
【図１２】図１１の嵌め合いケーブルコネクタの斜視図である。
【図１３】図１１の嵌め合いケーブルコネクタの端面図である。
【図１４】図５の第二嵌め合いケーブルコネクタの斜視図である。
【図１５】図１４のケーブルコネクタの端面図である。
【図１６】図１１のケーブルコネクタの半割り第一筐体の内部側面図である。
【図１７】図１６の半割り第一筐体の第一斜視図である。
【図１８】図１６の半割り第一筐体の第二斜視図である。
【図１９】図１１のケーブルコネクタの半割り第二筐体の内部側面図である。
【図２０】図１６の半割り第二筐体の第一斜視図である。
【図２１】図１６の半割り第二筐体の第二斜視図である。
【図２２】図１４のケーブルコネクタの半割り第一筐体の内部側面図である。
【図２３】図２２の半割り第一筐体の第一斜視図である。
【図２４】図２２の半割り第一筐体の第二斜視図である。
【図２５】図１４のケーブルコネクタの半割り第二筐体の内部側面図である。
【図２６】図２５の半割り第二筐体の第一斜視図である。
【図２７】図２５の半割り第二筐体の第二斜視図である。
【図２８】図１の接続箱とケーブルセグメントと共に使用するための交換用光ファイバセグメントである。
【図１】
2008516570.tif 000003
【図２】
2008516570.tif 000004
【図３】
2008516570.tif 000005
【図４】
2008516570.tif 000006
【図５】
2008516570.tif 000007
【図６】
2008516570.tif 000008
【図７】
2008516570.tif 000009
【図８】
2008516570.tif 000010
【図９】
2008516570.tif 000011
【図１０】
2008516570.tif 000012
【図１１】
2008516570.tif 000013
【図１２】
2008516570.tif 000014
【図１３】
2008516570.tif 000015
【図１４】
2008516570.tif 000016
【図１５】
2008516570.tif 000017
【図１６】
2008516570.tif 000018
【図１７】
2008516570.tif 000019
【図１８】
2008516570.tif 000020
【図１９】
2008516570.tif 000021
【図２０】
2008516570.tif 000022
【図２１】
2008516570.tif 000023
【図２２】
2008516570.tif 000024
【図２３】
2008516570.tif 000025
【図２４】
2008516570.tif 000026
【図２５】
2008516570.tif 000027
【図２６】
2008516570.tif 000028
【図２７】
2008516570.tif 000029
【図２８】
2008516570.tif 000030
【国際調査報告】
2008516570.tif 000031
2008516570.tif 000032